(57)【要約】【課題】本発明は、過熱防止機能を有効にしつつ、鍋振り調理時における感熱ヘッドと被加熱容器の底との干渉を減少させ、これらの損傷や不快な音の発生機会を減らすことが可能な鍋底感熱センサ付コンロを提供することを目的とする。【解決手段】本発明に係る鍋底感熱センサ付コンロの代表的な構成は、五徳上に載置された被加熱容器の底面に当接して温度を検出する鍋底感熱センサを備えたコンロにおいて、上下動可能な感熱ヘッドと、感熱ヘッドを上方へ付勢するヘッド付勢手段と、感熱ヘッドおよびヘッド付勢手段を支持し、かつ上下動可能な昇降ベースと、昇降ベースの位置を規定するベース規定手段とを備え、ベース規定手段は、燃焼中に昇降ベースの位置を規定可能である。【選択図】図３
2007292409.tif 000002
【特許請求の範囲】
【請求項１】
五徳上に載置された被加熱容器の底面に当接して温度を検出する鍋底感熱センサを備えたコンロにおいて、
上下動可能な感熱ヘッドと、
前記感熱ヘッドを上方へ付勢するヘッド付勢手段と、
前記感熱ヘッドおよびヘッド付勢手段を支持し、かつ上下動可能な昇降ベースと、
前記昇降ベースの位置を規定するベース規定手段とを備え、
前記ベース規定手段は、燃焼中に前記昇降ベースの位置を規定可能であることを特徴とする鍋底感熱センサ付コンロ。
【請求項２】
前記昇降ベースを上方へ付勢するベース付勢手段を備え、
前記ベース規定手段は、任意の位置において、少なくとも前記昇降ベースの可動範囲の上限を規定することを特徴とする請求項１記載の鍋底感熱センサ付きコンロ。
【請求項３】
前記感熱ヘッドの位置を検知する位置センサを備えていることを特徴とする請求項２記載の鍋底感熱センサ付きコンロ。
【請求項４】
前記ベース規定手段は、前記ベースの下方向への移動を許可し、かつ上方向への移動を規制するラチェット機構を含むことを特徴とする請求項２記載の鍋底感熱センサ付コンロ。
【請求項５】
前記ベース規定手段は、前記昇降ベースを引き下げるアクチュエータを含むことを特徴とする請求項２記載の鍋底感熱センサ。
【発明の詳細な説明】
【技術分野】
【０００１】
本発明は、五徳上に載置された被加熱容器の底面に当接して温度を検出する鍋底感熱センサを備えたコンロに関するものである。
【背景技術】
【０００２】
従来から、鍋などの被加熱容器を加熱して調理を行うコンロには、鍋の底面に当接して温度を検出する鍋底感熱センサを備え、鍋底の温度が設定された温度以上になると火力を弱めたり、自動消火したりする過熱防止機能を備えたものが提供されている。例えば特開平０７−２６９８７１（特許文献１）に示すように、これらのコンロは、環状のバーナーの中心に上下動可能な感熱ヘッドを設置し、感熱ヘッドの上端にサーミスタなどの感熱センサを備え、上方に向かって付勢する構成となっている。そして鍋を五徳上に載置すると、鍋の重量によって感熱ヘッドは付勢力に抗して沈下し、常に鍋底に当接した状態となってその温度を検知する。
【０００３】
また従来この種の鍋底感熱センサは、家庭で使用される２口もしくは３口コンロにおいて、多くは標準火力バーナー１口のみに取り付けられて天ぷらなどの調理につかわれ、炒め物などで利用することが多い強火力バーナーには取り付けられていなかった。しかしながら、安全性の向上を図るために、近年では強火力バーナーを含めた３口全部に鍋底感熱センサを取り付ける構成も見られるようになってきた。
【０００４】
しかし、強火力バーナーでは、煮炊きものや揚げものなどの調理以外にも、炒めもののようにさらに高温となる調理を行うことが想定される。このとき、単に鍋底の温度によって火力を制御するとすれば、一般には鍋置き調理時の設定のため、２５０℃程度で過熱防止機能が作動する。従って使用者が鍋を持って安全を確認しながら調理しているにもかかわらず過熱防止機能が作動してしまい、思うような高温調理が行えないおそれがある。そこで従来からも、機能規定スイッチを設けて過熱防止機能を働かせないようにする構成や、使用者によるモード切替操作により火力制御を行う設定温度を変更する構成などが提案および提供されている。また特開平０６−００２８３９（特許文献２）には、人体検知センサを設け、使用者の監視下においては過熱防止機能を作動させない構成が提案されている。
【特許文献１】特開平０７−２６９８７１号公報
【特許文献２】特開平０６−００２８３９号公報
【発明の開示】
【発明が解決しようとする課題】
【０００５】
しかし、上記構成の感熱ヘッドは、鍋を五徳上に載置しない状態では付勢力によって五徳より上方に突出した状態となるため、鍋をある程度持ち上げても感熱ヘッドがその底面に追従する。このため、例えば炒めものなどで鍋振り調理を行う場合には常に感熱ヘッドと鍋底とが擦れ続けることとなり、不快な音が発生するだけでなく、鍋底に傷が付いたり、感熱ヘッドの損傷を招いたりするおそれがある。
【０００６】
一方、一口に鍋振り料理といっても、中華料理の炒めもののように高温調理となる場合には過熱防止機能を作動させないことが簡便であるが、中低温における鍋振り料理も多くあり、このような場合は過熱防止機能を作動させておくことが好ましい。すなわち、過熱防止機能を作動させつつ、鍋振り調理時の感熱ヘッドと鍋底の擦れを軽減することの要請がある。
【０００７】
そこで本発明は、過熱防止機能を有効にしつつ、鍋振り調理時における感熱ヘッドと被加熱容器の底との干渉を減少させ、これらの損傷や不快な音の発生機会を減らすことが可能な鍋底感熱センサ付コンロを提供することを目的とする。
【課題を解決するための手段】
【０００８】
本発明に係る鍋底感熱センサ付コンロの代表的な構成は、五徳上に載置された被加熱容器の底面に当接して温度を検出する鍋底感熱センサを備えたコンロにおいて、上下動可能な感熱ヘッドと、感熱ヘッドを上方へ付勢するヘッド付勢手段と、感熱ヘッドおよびヘッド付勢手段を支持し、かつ上下動可能な昇降ベースと、昇降ベースの位置を規定するベース規定手段とを備え、ベース規定手段は、燃焼中に昇降ベースの位置を規定可能であることを特徴とする。感熱ヘッドは昇降ベースに対して上下動するが、さらに昇降ベースが上下動することによって、五徳に対する感熱ヘッドの可動範囲が変化する。そして燃焼中に一時的に昇降ベースの位置を規定し、感熱ヘッドの可動範囲の上端が五徳よりも上に突出する高さを低くすることにより、鍋を少し持ち上げるだけで鍋底とセンサの擦れをなくし、互いの摺擦および衝突を軽減することができる。
【０００９】
また、昇降ベースを上方へ付勢するベース付勢手段を備え、ベース規定手段は、任意の位置において、少なくとも昇降ベースの可動範囲の上限を規定するよう構成することでもよい。これにより簡略な構成によって昇降ベースの位置を規定することができる。
【００１０】
また、感熱ヘッドの位置を検知する位置センサを備えていることが好ましい。さらには、ベース規定手段が昇降ベースの上下動を規定（固定）するものである場合に、感熱ヘッドの下降を検知してから規制することが好ましい。また過熱防止機能を効果的に作用させるために、感熱ヘッドが所定時間以上上昇している場合にはベース規定手段の規定を解除し、通常動作とすることが好ましい。
【００１１】
ベース規定手段は、ベースの下方向への移動を許可し、かつ上方向への移動を規制するラチェット機構を含むことが好ましい。これにより、異なる形状の被加熱容器を五徳上に載置した場合にも、これに追従して感熱ヘッドの可動範囲を調整することができる。
【００１２】
またベース規定手段は、ベースを引き下げるアクチュエータを含むことでもよい。積極的に感熱ヘッドを引き下げるアクチュエータを備えることにより、被加熱容器の載置状態にかかわらず、任意の時に感熱ヘッドを引き下げて退避状態とすることができる。
【発明の効果】
【００１３】
本発明によれば、鍋底感熱センサを備えたコンロにおいて、燃焼中に昇降ベースの位置を規定することにより、感熱ヘッドの可動範囲の上限が低くなり、鍋振り調理時における感熱ヘッドと被加熱容器の底との干渉を減少させることができる。これにより、過熱防止機能を有効にしつつ、感熱ヘッドおよび被加熱容器の底の損傷を軽減するとともに、これらの摺擦による不快な音の発生機会を減少させることができる。
【発明を実施するための最良の形態】
【００１４】
｛第１実施例｝
本発明に係る鍋底感熱センサ付コンロの第１実施例について説明する。図１は鍋底感熱センサ付コンロの構成を説明する図、図２は被加熱容器を五徳上に載置した状態を説明する図、図３は鍋振り調理を行っている状態を説明する図、図４はヘッド付勢手段とベース付勢手段の弾性力の違いによる感熱ヘッドと昇降ベースの沈下と突出の様子を説明する図である。なお本実施例で記載する具体的な材質、寸法などの数値は、発明の理解を容易とするための例示であって、特に断る場合を除き、本発明を限定するものではない。
【００１５】
図１に示すコンロは、バーナー１０の上に、鍋などの被加熱容器を載置するための五徳１１が設置されている。なおバーナーは図示するような外周から中央に向かって炎を出す内炎バーナーであっても、中央から外側に向かって環状に炎を出す外炎バーナーであってもよい。
【００１６】
バーナー１０の中央には感熱ヘッド１２が設置されている。感熱ヘッド１２は昇降ベース１３が摺動可能に挿通されており、上下動可能に構成されている。昇降ベース１３の上端にはフランジ１３ａが設けられており、感熱ヘッド１２の下端と係止することによって感熱ヘッドの可動範囲の上限が規定されている。またフランジ１３ａと感熱ヘッド１２内部との間にヘッド付勢手段の例としての圧縮バネ１４（押しバネ）が備えられており、感熱ヘッド１２を上方へと付勢している。
【００１７】
感熱ヘッド１２の上端、すなわち被加熱容器に当接する面には、熱伝導率の高い材質で形成された集熱板１５が取り付けられている。また感熱ヘッド１２は二重筒の構造をなしており、集熱板１５が炎によって直接加熱されることを防止している。集熱板１５の内面には、温度検知手段の例としてのサーミスタ１６が取り付けられている。サーミスタ１６に接続されたリード線１６ａは、後述する制御部２０の温度検知部２２へと接続されている。また感熱ヘッド１２はほぼ円筒形の外筒１９に挿通されており、感熱ヘッド１２がバーナー１０から噴出される炎に直接あぶられることを防止するとともに、感熱ヘッド１２の上下動の機構を保護する構成となっている。
【００１８】
昇降ベース１３の下部には上下方向にギヤ歯を有するラック１３ｂが設けられており、ブレーキ３０に接続されたピニオン３１に噛合している。また昇降ベース１３のアーム１３ｃと筐体フレーム３３との間にはベース付勢手段の例としての引張バネ３４が設けられており、昇降ベース１３を上方へ付勢している。すなわち、昇降ベース１３は筐体フレーム３３を基準として引張バネ３４によって上方へと付勢され、感熱ヘッド１２は昇降ベース１３を基準として圧縮バネ１４によって上方へと付勢されている。そしてブレーキ３０を作動させることにより昇降ベース１３を任意の位置で規定することが可能であって、このとき感熱ヘッド１２は上下動可能になっている。
【００１９】
制御部２０は、制御プログラムを実行するＩＣ２１と、サーミスタ１６に接続された温度検知部２２、点火スイッチ２３ａに接続された点火制御部２３、火力指示スイッチ２４ａに接続された火力指示部２４、ガスの流量を制御する電磁弁２５ａに接続された火力制御部２５、および規定スイッチ２６ａに接続された規定制御部２６を備えている。規定スイッチ２６ａは、昇降ベース１３の可動範囲の少なくとも上限を規定するためのスイッチである。実際には、温度検知部２２、点火制御部２３、火力指示部２４、火力制御部２５、規定制御部２６はソフトウェアとして実現され、組み込みプログラムとしてＩＣ２１のＲＯＭに格納され、稼働時に読み出して実行する。
【００２０】
上記構成のコンロにおいて、まず通常の動作について説明する。図２（ａ）に示すように、被加熱容器の例としての鍋１を五徳１１上に載置すると、鍋１の重量によって感熱ヘッド１２および昇降ベース１３が共に沈下する。図２（ｂ）に示すように、鍋１が中華鍋のように底が突出したものである場合には、感熱ヘッド１２の上端は五徳１１の上端よりも下方まで沈下する。
【００２１】
このとき集熱板１５が鍋底に当接している。使用者が点火スイッチ２３ａおよび火力指示スイッチ２４ａを操作すると、ＩＣ２１は点火制御部２３および火力指示部２４からこれを検知し、火力制御部２５を介して電磁弁２５ａを制御してガスを流出しつつ、不図示の点火プラグを制御して加熱を開始する。鍋底の温度は集熱板１５を介してサーミスタ１６へと伝達され、温度検知部２２を介してＩＣ２１が温度情報を得る。そしてＩＣ２１は過熱防止機能として、検知した温度が所定温度（例えば２５０℃）を超えると、火力制御部２５を介してガスの流量を下げて火力を弱めるか、またはガスを停止させて消火する。
【００２２】
次に、図３および図４（ａ）を参照して本発明に特徴的な動作について説明する。使用者は、炒めもの等の鍋振り調理を行いたいと思った場合に、鍋１を五徳１１上に載置した状態で、規定スイッチ２６ａを操作する。ＩＣ２１が規定制御部２６を介してこれを検知すると、ブレーキ３０を作動させて、ラック１３ｂとピニオン３１の噛合により昇降ベース１３の上下動を規定する。すると図４（ａ）に示すように、感熱ヘッド１２は、感熱ヘッド１２が昇降ベース１３に対して相対的に沈下していた分の高さだけ上下動可能になる（図４（ａ）のＨ１）。従って図３に示すように、感熱ヘッド１２の可動範囲の上限が低くなり、バーナー１０が燃焼中であるにもかかわらず、鍋１を少し持ち上げるだけで鍋底と感熱ヘッド１２が摺擦しなくなる。従って鍋振り調理の際の感熱ヘッド１２および鍋１の底の損傷を軽減するとともに、これらの摺擦による不快な音の発生機会を減少させることができる。
【００２３】
また感熱ヘッド１２の上端は五徳１１よりも上方に突出していることから、鍋１を五徳１１上に静置すれば感熱ヘッド１２の集熱板１５が鍋底に当接する。従って、過熱防止機能を継続的に作動させることができ、安全性の確保を図ることができる。ここで、ブレーキ３０が昇降ベース１３を任意の位置において規定しうる構成であることから、昇降ベース１３は鍋１の底の形状（上げ底や平面の底、中華鍋のように深い底など）に応じて、感熱ヘッド１２および昇降ベース１３が沈下した位置で規定することができる。このことから、いかなる形状の被加熱容器であっても鍋振り調理をする際には同じだけ持ち上げれば摺擦しなくなり、使用者はいつも同様の使用感を得ることができる。
【００２４】
ここで図４を用いて、圧縮バネ１４と引張バネ３４の弾性力（バネ定数）の違いによる感熱ヘッド１２と昇降ベース１３の沈下と突出の様子を説明する。図４（ａ）は圧縮バネ１４の方がバネ定数が大きい場合、図４（ｂ）は引張バネ３４の方がバネ定数が大きい場合である。両方の場合において、鍋１を載置したときの感熱ヘッド１２の沈下量（高さ）は等しいものとする。
【００２５】
図４（ａ）に示すように感熱ヘッド１２に内蔵された圧縮バネ１４の方がバネ定数が大きい場合、鍋１によって感熱ヘッド１２が沈下すると、圧縮バネ１４は小さく変形し（縮む）、引張バネ３４は大きく変形する（伸びる）。そして沈下した状態でブレーキ３０によって昇降ベース１３を規制すると、鍋１を持ち上げた際に感熱ヘッド１２が上昇しうる高さＨ１は小さいものとなる。
【００２６】
一方、図４（ｂ）に示すように圧縮バネ１４の方がばね定数が小さい場合、鍋１によって感熱ヘッド１２が沈下すると、圧縮バネ１４は大きく変形し、引張バネ３４は小さく変形する。そして沈下した状態で昇降ベース１３を規制すると、鍋１を持ち上げた際に感熱ヘッド１２が上昇しうる高さＨ２は大きくなる。
【００２７】
これらのことから、ブレーキ３０によって昇降ベース１３を規制した後に感熱ヘッド１２の可動範囲の上限をなるべく低くするためには、圧縮バネ１４のバネ定数を引張バネ３４よりも大きくすればよいことがわかる。一方、規制した状態においても鍋を交換することは考えられるため、さまざまな鍋底の形状にも対応させるためには、圧縮バネ１４のバネ定数を小さくすればよい。すなわち、規制した状態における感熱ヘッド１２の突出量は、圧縮バネ１４と引張バネ３４のバネ定数の比によって調節することができる。
【００２８】
上記説明した如く、本発明によれば、鍋底感熱センサを備えたコンロにおいて、鍋振り調理時における感熱ヘッドと被加熱容器の底との干渉を減少させることにより、過熱防止機能を有効にしつつ、感熱ヘッドおよび被加熱容器の底の損傷を軽減するとともに、これらの摺擦による不快な音の発生機会を減少させることができる。
【００２９】
｛第２実施例｝
本発明に係る鍋底感熱センサ付コンロの第２実施例について説明する。図５は第２実施例に係る鍋底感熱センサ付コンロの要部を説明する図であって、上記第１実施例と説明の重複する部分については同一の符号を付して説明を省略する。
【００３０】
上記第１実施例において、使用者は鍋１を五徳１１上に載置した状態で規定スイッチ２６ａを操作し、昇降ベース１３をブレーキ３０によって規制するよう説明した。しかし使用者が必ずしも鍋１を載置した状態において操作することは担保されない。この場合においても感熱ヘッド１２は圧縮バネ１４の作用により沈下するため鍋１が転覆することはないが、感熱ヘッド１２の可動範囲の上限を下げることができず、本発明の効果を得られないおそれがある。
【００３１】
そこで本実施例は、昇降ベース１３の上下動を規定した後も、昇降ベース１３の可動範囲の上限のみを規定する（下方向への移動はできるようにする）構成の例を示す。
【００３２】
図５（ａ）に示す構成では、ブレーキ３０とこれに設けられたピニオン３１との間にラチェット機構３２を設けている。ラチェット機構３２はピニオン３１の回転を一方向に制限し、ブレーキ３０を作動させた際には昇降ベース１３の下方向への移動を許可し、かつ上方向への移動を規制することができる。ブレーキ３０を解除することにより、ラチェット機構３２およびピニオン３１は両方向に回転自在となり、昇降ベース１３は上下動可能となる。
【００３３】
図５（ｂ）に示す構成では、ベース規定手段の例としてのロック機構３５を備えている。ロック機構３５はソレノイド３５ａを備えており、フック３５ｂおよびフック付勢バネ３５ｃを進退可能な構成となっている。フック３５ｂはフック付勢バネ３５ｃによって進退可能であって、かつ上側に傾斜面を備えている。従ってフック３５ｂがラック１３ｂと噛合している場合において、ラック１３ｂが下方へ移動する際にはフック３５ｂは進退してこれを許可し、ラック１３ｂが上方へ移動する際には噛合してこれを許可しない。上記構成において規定スイッチ２６ａからの指示がＩＣ２１に伝達されると、ＩＣ２１はソレノイド３５ａを作動させてフック３５ｂをラック１３ｂに付勢する。その前後において昇降ベース１３が鍋１の重量によって沈下すると、以後はソレノイド３５ａが解除されるまで昇降ベース１３の上昇が規制される。
【００３４】
これらのように、ベース規定手段は昇降ベース１３の可動範囲の上限のみを規定し、下降は許可するよう構成したことにより、使用者が規定スイッチ２６ａを操作した際に鍋１を載置していたかどうかにかかわらず、また底の形状の異なる鍋に交換した場合であっても、適切に鍋振り調理時における感熱ヘッドと被加熱容器の底との干渉を減少させることができる。
【００３５】
｛第３実施例｝
本発明に係る鍋底感熱センサ付コンロの第３実施例について説明する。図６は第３実施例に係る鍋底感熱センサ付コンロの要部を説明する図であって、上記第１実施例と説明の重複する部分については同一の符号を付して説明を省略する。
【００３６】
本実施例は、感熱ヘッド１２の位置を検知するセンサ、特に感熱ヘッド１２が昇降ベース１３に対する可動範囲の上端にあるか否かを検知する位置センサを設けた例である。
【００３７】
図６（ａ）に示すように、感熱ヘッド１２にはフラグ３６が設けられており、昇降ベース１３にはフォトインタラプタからなる位置センサ３７が設けられている。感熱ヘッド１２が沈下した際にはフラグ３６が位置センサ３７を遮光し、ＩＣ２１がこれを検知可能となっている。この位置センサ３７による感熱ヘッド１２の位置検知は、２つの制御に用いることができる。
【００３８】
第１の制御として、使用者が規定スイッチ２６ａを操作した場合に、ＩＣ２１はまず位置センサ３７からの信号を判断する。そして感熱ヘッド１２が上端にあると判断した場合、すなわち鍋１が五徳１１上に載置されていない場合には、ブレーキ３０を作動させないよう制御することができる。これにより、昇降ベース１３が沈下していない状態でこれを規制してしまうことを防止することができる。
【００３９】
第２の制御として、鍋１を交換した際のブレーキ３０の解除を行うことができる。すなわち図６（ｂ）に示すように、例えば中華鍋のように底が突出した鍋１ａを用いて昇降ベース１３を規制した後に、フライパンのように底の平たい鍋１ｂに交換した場合を考える。すると可動範囲の上端が規制された感熱ヘッド１２は鍋底に当接しない可能性があり、バーナー１０からの炎にあぶられて過熱し、過熱防止機能が作動して火力を制限してしまうおそれがある。
【００４０】
そこで、昇降ベース１３を規制している状態において、感熱ヘッド１２が上端にある状態（感熱ヘッド１２が鍋底に当接していない状態）が所定時間以上連続した場合には、ブレーキ３０による規制を解除する。これにより、確実に感熱ヘッド１２を鍋底に当接させることができ、過熱防止機能の動作を担保することができる。なお、ブレーキ３０を解除してもさらに感熱ヘッド１２が上端にある場合は、鍋１が載置されていない空焚きであることを意味しているので、通常の過熱防止機能に基づいて火力を制限または停止させる。
【００４１】
これらのように、感熱ヘッド１２の位置を検知する位置センサ３７を設けることにより、感熱ヘッド１２の下降を検知してから昇降ベース１３を規制することができ、また感熱ヘッド１２が被加熱容器に当接していない場合にブレーキ３０を解除して過熱防止機能を効果的に作用させることができる。
【００４２】
｛他の実施例｝
上記各実施例においては、昇降ベース１３を規定する際にこれを沈下させるための手段は、鍋１の重量に依っていた。しかし本発明はこれに限らず、積極的に昇降ベース１３を引き下げるよう構成することでもよい。
【００４３】
図７は積極的に昇降ベースを引き下げる構成の例を説明する図であって、昇降ベース１３を引き下げるためのアクチュエータの例としてソレノイド４０を備えている。ソレノイド４０のアーム４０ａは２以上の姿勢を取ることができ、その先端はワイヤー４１によって昇降ベース１３と接続されている。
【００４４】
上記構成によれば、鍋１を載置しているかどうかにかかわらず昇降ベース１３を積極的に引き下げることができるため、任意のタイミングで昇降ベース１３の位置を規定することができる。
【００４５】
また上記各実施例においては、昇降ベース１３を上方へ移動させるために、引張バネ３４を設けていた。しかし昇降ベースを上方へ付勢するベース付勢手段として、駆動力を備えた機構を用いてもよい。図８は駆動力によって昇降ベースを上方へ付勢させるベース付勢手段を備えた例を説明する図である。
【００４６】
図８は、ステッピングモータ４３を設け、昇降ベース１３のラック１３ｂにピニオン４３ａを噛合させた構成である。従って昇降ベース１３は、上昇も下降もステッピングモータ４３の駆動力によって移動する。ステッピングモータは励磁するステータを変更しなければロータを固定することができるため、一定の姿勢を保つために簡便である。これにより、昇降ベース１３の位置を上下２箇所のみならず任意の位置で固定することができるため、さらに詳細な制御が可能となる。
【００４７】
その他ベース規定手段としては様々な構成が考えられるが、鍋底感熱センサを備えたコンロにおいて、感熱ヘッドおよびヘッド付勢手段を支持し、かつ上下動可能な昇降ベースと、燃焼中に昇降ベースの位置を規定するベース規定手段とを備えていれば、本発明の範疇に属する。
【００４８】
なお、上記各実施例においては、常に過熱防止機能を動作させるよう説明した。しかし、昇降ベース１３の位置を規定しつつ、同時に過熱防止機能を解除可能な構成とすることでもよい。これにより、炒めものなどの鍋振り調理かつ高温調理を行う際にも火力に制限がかからず、快適に作業を行うことができる。
【産業上の利用可能性】
【００４９】
本発明は、被加熱容器の底面に当接して温度を検出する鍋底感熱センサを備えたコンロとして利用することができる。
【図面の簡単な説明】
【００５０】
【図１】鍋底感熱センサ付コンロの構成を説明する図である。
【図２】被加熱容器を五徳上に載置した状態を説明する図である。
【図３】鍋振り調理を行っている状態を説明する図である。
【図４】ヘッド付勢手段とベース付勢手段の弾性力の違いによる感熱ヘッドと昇降ベースの沈下と突出の様子を説明する図である。
【図５】第２実施例に係る鍋底感熱センサ付コンロの要部を説明する図である。
【図６】第３実施例に係る鍋底感熱センサ付コンロの要部を説明する図である。
【図７】積極的に昇降ベースを引き下げる構成の例を説明する図である。
【図８】駆動力によって昇降ベースを上方へ付勢させるベース付勢手段を備えた例を説明する図である。
【符号の説明】
【００５１】
１     …鍋
１０   …バーナー
１１   …五徳
１２   …感熱ヘッド
１３   …昇降ベース
１３ａ  …フランジ
１３ｂ  …ラック
１３ｃ  …アーム
１４   …圧縮バネ
１５   …集熱板
１６   …サーミスタ
１６ａ  …リード線
１９   …外筒
１ｂ   …鍋
２０   …制御部
２１   …ＩＣ
２２   …温度検知部
２３   …点火制御部
２３ａ  …点火スイッチ
２４   …火力指示部
２４ａ  …火力指示スイッチ
２５   …火力制御部
２５ａ  …電磁弁
２６   …規定制御部
２６ａ  …規定スイッチ
３０   …ブレーキ
３１   …ピニオン
３２   …ラチェット機構
３３   …筐体フレーム
３４   …引張バネ
３５   …ロック機構
３５ａ  …ソレノイド
３５ｂ  …フック
３５ｃ  …フック付勢バネ
３６   …フラグ
３７   …位置センサ
４０   …ソレノイド
４０ａ  …アーム
４１   …ワイヤー
４２   …ソレノイド
４３   …ステッピングモータ
４３ａ  …ピニオン
【図１】
2007292409.tif 000003
【図２】
2007292409.tif 000004
【図３】
2007292409.tif 000005
【図４】
2007292409.tif 000006
【図５】
2007292409.tif 000007
【図６】
2007292409.tif 000008
【図７】
2007292409.tif 000009
【図８】
2007292409.tif 000010